(57)【要約】【課題】データ入力の効率を向上させることができるようにする。【解決手段】複数のキーのうち、タッチセンサ付キー２の上面に指の接触を感知するタッチセンサ３が設けられている。タッチセンサ付キー２が押下された場合に、対応する数字や文字等が入力され、タッチセンサ３に接触された場合に、モニター６０に表示されているポインタ等がスクロールされる。【選択図】図２
2010026709.tif 000002
【特許請求の範囲】
【請求項１】
指で押下されるキーを複数有するキーボードにおいて、
少なくとも一部のキーの上面にそれぞれ設けられ、前記指の接触を感知するタッチセンサと、
各キーが押下された場合に、押下されたキーに対応する押下信号を出力する押下信号出力手段と、
各タッチセンサが前記指の接触を感知した場合に、前記指の接触を感知したタッチセンサに対応する感知信号を出力する感知信号出力手段と、
を有することを特徴とするキーボード。
【請求項２】
前記タッチセンサは、前記指が接触される接触面を有し、
前記接触面は、一部が非平坦状に形成され、前記一部を除く全部が平坦状に形成されていることを特徴とする請求項１に記載のキーボード。
【請求項３】
前記タッチセンサが設けられたキーのうち、前記感知信号出力手段によって前記感知信号が出力されるキーを設定する設定手段を更に有することを特徴とする請求項１又は２に記載のキーボード。
【発明の詳細な説明】
【技術分野】
【０００１】
本発明は、データ入力の効率が向上されるキーボードに関する。
【背景技術】
【０００２】
従来、コンピュータ等を操作して各種データを入力する際に、キーボード及びマウスが用いられている。キーボードとマウスとは別体であるから、入力作業内容によっては、右手の持ち替えが生じる。このような場合、右手の煩雑な動きによって、データ入力の効率が低下してしまう。
【０００３】
そこで、特許文献１には、コンピュータを操作して各種データを入力する際に使われるキーボード上のテンキーの左側及び上側にマウス機能を有したコントロール装置類を組み込むことによって、データ入力の効率を大幅に改善させたマウス機能付キーボードが開示されている。これによれば、従来のキーボードと、キーボードと従来のマウスとを併用することからくる、右手の煩雑な動きが抑えられる。
【０００４】
また、特許文献２には、イラスト図と数値とのすべての入力を、マウスの移動と、マウスに設けられたテンキー及び／又はマウス機能キーの操作、切換えスイッチの操作、及びイメージスキャナのスキャンスタートスイッチの操作のみで行うことによって、入力操作の効率を改善させたマウスが開示されている。これによれば、イラスト図と数値との入力を、マウスの移動と、スイッチ操作のみで行うことができる。
【０００５】
【特許文献１】特開２００５−６３３９５号公報
【特許文献２】特開平６−１３１１１５号公報
【発明の開示】
【発明が解決しようとする課題】
【０００６】
しかしながら、特許文献１において、キーボードとマウスとは別の位置にあり、また特許文献２においても、テンキー以外はマウスとは別の位置にある。このため、データ入力の操作の効率を向上させるには限界がある。
【０００７】
本発明の目的は、データ入力の効率を向上させることが可能なキーボードを提供することである。
【課題を解決するための手段及び効果】
【０００８】
本発明のキーボードは、指で押下されるキーを複数有するキーボードにおいて、少なくとも一部のキーの上面にそれぞれ設けられ、前記指の接触を感知するタッチセンサと、各キーが押下された場合に、押下されたキーに対応する押下信号を出力する押下信号出力手段と、各タッチセンサが前記指の接触を感知した場合に、前記指の接触を感知したタッチセンサに対応する感知信号を出力する感知信号出力手段と、を有することを特徴とする。
【０００９】
上記の構成によれば、少なくとも一部のキーの上面に指の接触を感知するタッチセンサが設けられているから、キーが押下された場合に、対応する数字や文字等が入力され、タッチセンサに接触された場合に、モニターに表示されているポインタ等がスクロールされるようにすることができる。これにより、右手におけるキーボードとマウスとの持ち替えが生じ難くなり、右手の煩雑な動きが抑えられるから、データ入力の効率を向上させることができる。
【００１０】
また、本発明のキーボードにおいて、前記タッチセンサは、前記指が接触される接触面を有し、前記接触面は、一部が非平坦状に形成され、前記一部を除く全部が平坦状に形成されていてよい。上記の構成によれば、タッチセンサにおける接触面は、一部が非平坦状に形成され、一部を除く全部が平坦状に形成されているから、平坦な箇所において指を接触させ易く、また、非平坦な箇所への接触により、タッチセンサが設けられているキーを使用者が容易に判断することができる。
【００１１】
また、本発明のキーボードにおいて、前記タッチセンサが設けられたキーのうち、前記感知信号出力手段によって前記感知信号が出力されるキーを設定する設定手段を更に有していてよい。上記の構成によれば、設定手段によって、タッチセンサが有効となるキーを設定することができるから、使用者の好みに設定することによって、データ入力の効率を更に向上させることができる。
【発明を実施するための最良の形態】
【００１２】
本発明の実施の形態を図１乃至図５に基づいて以下に説明する。
【００１３】
（キーボード１０の構成）
本実施の形態にかかるキーボード１０は、図１に示すように、ＰＣ５０に接続されている。また、ＰＣ５０にはモニター６０が接続されている。なお、ＰＣ５０において、簿記・会計ソフトが起動されているものとする。
【００１４】
キーボード１０は、複数のキーを有している。複数のキーの一部の上面には、指の接触を感知するタッチセンサ３が設けられている。以下、タッチセンサ３が設けられていないキーを通常のキー１（以下、キー１）といい、タッチセンサ３が設けられているキーをタッチセンサ付キー２という。
【００１５】
各キー１は、指で押下されるものであり、キー１が押下されると、対応する数字や文字等が簿記・会計ソフトに入力されるようにされている。
【００１６】
各タッチセンサ付キー２は、指で押下されると、対応する数字や文字等が簿記・会計ソフトに入力される一方、タッチセンサ３が指で接触されると、モニター６０に表示されているポインタ等がスクロールされるようにされている。
【００１７】
このように、タッチセンサ付キー２が指で押下されたとき、対応する数字や文字等が簿記・会計ソフトに入力され、タッチセンサ付キー２のタッチセンサ３が指で接触されたとき、モニター６０に表示されているポインタ等がスクロールされるようにされている。これにより、右手におけるキーボード１０とマウスとの持ち替えが生じ難くなり、右手の煩雑な動きが抑えられるから、データ入力の効率を向上させることができる。
【００１８】
また、各タッチセンサ付キー２におけるタッチセンサ３は、図２に示すように、指に接触される接触面１３を有し、接触面１３は、中央に突起１４を有することで、一部が非平坦状に形成され、一部を除く全部が平坦状に形成されている。なお、接触面１３は、凹凸等によって一部が非平坦状に形成されていてもよい。
【００１９】
このように、タッチセンサ３における接触面１３は、中央に突起１４を有することで、一部が非平坦状に形成され、一部を除く全部が平坦状に形成されているから、平坦な箇所において指を接触させ易く、また、突起１４への接触により、タッチセンサ３が設けられているタッチセンサ付キー２を使用者が容易に判断することができる。
【００２０】
また、キーボード１０は、設定スイッチ４と、Ｒキー５と、Ｌキー６とを有している。以下、キー１、タッチセンサ付キー２、Ｒキー５、及び、Ｌキー６を総称して、キー１、２、５、６という。
【００２１】
設定スイッチ４は、複数のタッチセンサ付キー２のうち、タッチセンサ３が有効な４つのタッチセンサ付キー２を３通りに設定するものである。具体的には、設定スイッチ４の設定が設定１であるとき、複数のタッチセンサ付キー２のうち、テンキー「２」、「４」、「６」、「８」のタッチセンサ３が有効化される。また、設定スイッチ４の設定が設定２であるとき、複数のタッチセンサ付キー２のうち、「√」、「ＧＴ」、「税抜き」、「ＣＭ」のタッチセンサ３が有効化される。また、設定スイッチ４の設定が設定３であるとき、複数のタッチセンサ付キー２のうち、テンキー「００」、「１」、「３」、「５」のタッチセンサ３が有効化される。なお、タッチセンサ３が有効化される４つのタッチセンサ付キー２は、上記のキー以外であってもよい。また、タッチセンサ３が有効化されるタッチセンサ付キー２は、４つに限定されず、１つ、２つ、８つであってもよい。
【００２２】
このように、設定スイッチ４によって、タッチセンサ３が有効となる４つのタッチセンサ付キー２を設定することができるから、使用者の好みに設定することによって、データ入力の効率を更に向上させることができる。
【００２３】
また、Ｒキー５は、マウスの右クリックの役割を担い、Ｌキー６は、マウスの左クリックの役割を担っている。Ｒキー５及びＬキー６は、指で押下されるものであり、押下されると、右クリック及び左クリックと同様の操作が行われるようにされている。
【００２４】
これにより、右手におけるキーボード１０とマウスとの持ち替えが生じ難くなり、右手の煩雑な動きが抑えられるから、データ入力の効率を向上させることができる。
【００２５】
また、キーボード１０におけるキー１及びタッチセンサ付キー２には、簿記・会計専用電卓に設けられているものと同様な簿記・会計用キー７が含まれている。簿記・会計用キー７は、具体的には、「税込」、「税抜き」、「００」等である。そして、簿記・会計用キー７が指で押下されると、対応する数字や文字等が簿記・会計ソフトに入力されるようにされている。
【００２６】
このように、簿記・会計用キー７が、指で押下されたとき、対応する数字や文字等が簿記・会計ソフトに入力されるようにされている。これにより、簿記・会計作業をスムーズに行うことができる。
【００２７】
（キーボード１０の電気的構成）
キーボード１０は、図３に示すように、ＩＣ２１、ＲＯＭ２２、ＲＡＭ２３、信号出力部２４、及び、入力インターフェース２５を有している。
【００２８】
ＩＣ２１には、ＲＯＭ２２及びＲＡＭ２３が接続されている。ＲＡＭ２３は、設定スイッチ４における設定である、設定１〜３のいずれかを記憶する。ＲＯＭ２２は、設定スイッチ４における設定１〜３の各々に対応する４つのタッチセンサ付キー２を記憶している。具体的には、ＲＯＭ２２は、設定スイッチ４の設定が設定１のときにタッチセンサ３が有効化される４つのタッチセンサ付キー２として、テンキー「２」、「４」、「６」、「８」を記憶している。また、設定スイッチ４の設定が設定２のときにタッチセンサ３が有効化される４つのタッチセンサ付キー２として、「√」、「ＧＴ」、「税抜き」、「ＣＭ」を記憶している。また、設定スイッチ４の設定が設定３のときにタッチセンサ３が有効化される４つのタッチセンサ付キー２として、テンキー「００」、「１」、「３」、「５」を記憶している。
【００２９】
また、ＩＣ２１には、信号出力部２４が接続されている。信号出力部２４は、押下信号出力手段及び感知信号出力手段としてのＩＣ２１から出力された、押下されたキー１、２、５、６に対応する押下信号と、有効なタッチセンサ３に対応する感知信号とをＰＣ５０へ出力する。
【００３０】
入力インターフェース２５には、各キー１、２、５、６に対応するキースイッチ３１ａ、３１ｂ、・・・、が接続されている。入力インターフェース２５には、各キースイッチ３１ａ、３１ｂ、・・・、からの信号が入力される。
【００３１】
また、入力インターフェース２５には、各タッチセンサ付キー２に設けられたタッチセンサ３ａ、３ｂ、・・・、が接続されている。入力インターフェース２５には、各タッチセンサ３ａ、３ｂ、・・・、からの信号が入力される。
【００３２】
また、入力インターフェース２５には、設定スイッチ４が接続されている。入力インターフェース２５には、設定スイッチ４からの設定値に係る信号が入力される。
【００３３】
（キーボード１０の動作）
上記の構成において、図４に示す入力処理ルーチン及び図５に示す有効キー設定ルーチンを参照して、キーボード１０の動作について説明する。
【００３４】
（入力処理ルーチン）
入力処理ルーチンが実行されると、図４に示すように、ＩＣ２１は、いずれかのキー１、２、５、６が押下されているか否かを判定する（Ｓ１）。
【００３５】
指でキー１、２、５、６が押下されていると判定した場合（Ｓ１：ＹＥＳ）、対応する押下信号を信号出力部２４から出力させる（Ｓ２）。これにより、対応する数字や文字等が簿記・会計ソフトに入力されることとなる。一方、キー１、２、５、６が押下されていないと判定した場合（Ｓ１：ＮＯ）、又はステップＳ２の後には、指の接触をタッチセンサ３が感知したか否かを判定する（Ｓ３）。
【００３６】
タッチセンサ３が感知していない（指がタッチセンサに接触していない）と判定した場合（Ｓ３：ＮＯ）、Ｓ１に戻る。一方、タッチセンサ３が感知した（指がタッチセンサに接触した）と判定した場合（Ｓ３：ＹＥＳ）、タッチセンサ３が有効か否かを判定する（Ｓ４）。
【００３７】
タッチセンサ３が有効でないと判定した場合（Ｓ４：ＮＯ）、Ｓ１に戻る。一方、タッチセンサ３が有効であると判定した場合（Ｓ４：ＹＥＳ）、対応する感知信号を信号出力部２４から出力させて（Ｓ５）、Ｓ１に戻る。これにより、モニター６０に表示されているポインタ等が移動されることとなる。
【００３８】
このように、タッチセンサ付キー２が指で押下されたとき、対応する数字や文字等が簿記・会計ソフトに入力され、タッチセンサ付キー２のタッチセンサ３が指で接触されたとき、モニター６０に表示されているポインタ等がスクロールされる。これにより、右手におけるキーボード１０とマウスとの持ち替えが生じ難くなり、右手の煩雑な動きが抑えられるから、データ入力の効率を向上させることができる。
【００３９】
また、タッチセンサ３における接触面１３は、中央に突起１４を有することで、一部が非平坦状に形成され、一部を除く全部が平坦状に形成されているから、平坦な箇所において指を接触させ易く、また、突起１４への接触により、タッチセンサ３が設けられているタッチセンサ付キー２を、使用者が容易に判断することができる。
【００４０】
（有効キー設定ルーチン）
有効キー設定ルーチンが実行されると、図５に示すように、ＲＯＭ２２は、設定スイッチ４の設定が設定１であるか否かを判定する（Ａ１）。
【００４１】
設定スイッチ４の設定が設定１であると判定した場合（Ａ１：ＹＥＳ）、タッチセンサ３が有効な４つのタッチセンサ付キー２として、テンキー「２」、「４」、「６」、「８」を選択し（Ａ２）、Ａ１に戻る。一方、設定スイッチ４の設定が設定１でないと判定した場合（Ａ１：ＮＯ）、設定スイッチ４の設定が設定２であるか否かを判定する（Ａ３）。
【００４２】
設定スイッチ４の設定が設定２であると判定した場合（Ａ３：ＹＥＳ）、タッチセンサ３が有効な４つのタッチセンサ付キー２として、「√」、「ＧＴ」、「税抜き」、「ＣＭ」を選択し（Ａ４）、Ａ１に戻る。一方、設定スイッチ４の設定が設定２でないと判定した場合（Ａ３：ＮＯ）、設定スイッチ４の設定が設定３であると判定し、タッチセンサ３が有効な４つのタッチセンサ付キー２として、テンキー「００」、「１」、「３」、「５」を選択して（Ａ５）、Ａ１に戻る。
【００４３】
このように、設定スイッチ４によって、タッチセンサ３が有効となる４つのタッチセンサ付キー２を設定することができるから、使用者の好みに設定することによって、データ入力の効率を更に向上させることができる。
【００４４】
（本実施の形態の概要）
以上のように、本実施の形態のキーボード１０は、指で押下されるキー（キー１、タッチセンサ付キー２等）を複数有するキーボード１０において、少なくとも一部のキー（タッチセンサ付キー２等）の上面にそれぞれ設けられ、指の接触を感知するタッチセンサ３と、各キーが押下された場合に、押下されたキーに対応する押下信号を出力する押下信号出力手段（ＩＣ２１、信号出力部２４、図４の入力処理ルーチン等）と、各タッチセンサ３が指の接触を感知した場合に、指の接触を感知したタッチセンサ３に対応する感知信号を出力する感知信号出力手段（ＩＣ２１、信号出力部２４、図４の入力処理ルーチン等）と、を有する構成にされている。
【００４５】
上記の構成によれば、少なくとも一部のキーの上面に指の接触を感知するタッチセンサ３が設けられているから、キーが押下された場合に、対応する数字や文字等が入力され、タッチセンサ３に接触された場合に、モニター６０に表示されているポインタ等がスクロールされるようにすることができる。これにより、右手におけるキーボード１０とマウスとの持ち替えが生じ難くなり、右手の煩雑な動きが抑えられるから、データ入力の効率を向上させることができる。
【００４６】
また、本実施の形態のキーボード１０において、タッチセンサ３は、指が接触される接触面１３を有し、接触面１３は、一部が非平坦状に形成され、一部を除く全部を平坦状に形成される構成にされている。上記の構成によれば、タッチセンサ３における接触面１３は、一部が非平坦状に形成され、一部を除く全部が平坦状に形成されているから、平坦な箇所において指を接触させ易く、また、非平坦な箇所への接触により、タッチセンサ３が設けられているキーを使用者が容易に判断することができる。
【００４７】
また、本実施の形態のキーボード１０において、タッチセンサ３が設けられたキー（タッチセンサ付キー２等）のうち、感知信号出力手段によって感知信号が出力されるキーを設定する設定手段（設定スイッチ４、ＩＣ２１、図５の有効タッチセンサ設定ルーチン等）を更に有する構成にされている。上記の構成によれば、設定手段によって、タッチセンサ３が有効となるキーを設定することができるから、使用者の好みに設定することによって、データ入力の効率を更に向上させることができる。
【００４８】
（本実施の形態の変形例）
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００４９】
例えば、本実施の形態において、タッチセンサ付キー２は、キーボード１０の右手側に設けられる構成にされているが、この構成に限定されるものではなく、キーボード１０の左手側にタッチセンサ付キー２が設けられるように構成にされてもよい。この場合、右手はテンキー押下に集中でき、左利きの使用者はタッチセンサ３を扱いやすくなることから、データ入力の効率を更に向上させることができる。
【００５０】
また、マウスの右クリックの役割を担うＲキー５、左クリックの役割を担うＬキー６、及び、簿記・会計用キー７等は、キーボード１０の右手側に設けられる構成にされているが、この構成に限定されるものではなく、キーボード１０の左手側に設けられるように構成されてもよい。この場合、右手におけるキーボード１０とマウスとの持ち替えが生じ難くなり、右手の煩雑な動きが抑えられ、左利きの使用者は扱いやすくなるから、簿記・会計作業をスムーズに行うことができて、データ入力の効率を向上させることができる。
【図面の簡単な説明】
【００５１】
【図１】キーボードの構成図。
【図２】タッチセンサ付キーの構成図。
【図３】キーボードの電気的構成を示す図
【図４】入力処理ルーチンを示す図。
【図５】有効キー設定ルーチンを示す図。
【符号の説明】
【００５２】
１    キー
２    タッチセンサ付キー
３    タッチセンサ
１０    キーボード
２１    ＩＣ
２４    信号出力部
【図１】
2010026709.tif 000003
【図２】
2010026709.tif 000004
【図３】
2010026709.tif 000005
【図４】
2010026709.tif 000006
【図５】
2010026709.tif 000007